(57)【要約】【課題】在来魚を捕獲せずに外来魚を効率よく捕獲する技術手段を提供する。【解決手段】  コ字型の網枠に網部を取り付け、外来魚の捕獲体１２を構成させ、浮体１１の片面に取り付ける。浮体１１を水面上に浮かべて捕獲体１２を水中に配置すると、浮体１１が物陰を形成し、物陰を好む外来魚は浮体１１の下方の浮体１１付近に集まる。その外来魚が小魚等の餌を捕獲しようとして急に移動すると、網部に頭部が挿入され、抜き出すことができないので、本発明の捕獲装置に捕獲される。【選択図】  図１
2011206007.tif 000002
【特許請求の範囲】
【請求項１】
湖沼河川の水面に浮き、水中に日陰を形成する浮体と、
前記浮体に取り付けられ、前記日陰に位置する捕獲体とを有し、
前記捕獲体は、水中を下方に伸びる第一、第二の支持棒と、
前記第一、第二の支持棒の間に張られた網部とを有し、
前記網部によって魚を捕獲するように構成された捕獲装置。
【請求項２】
一端が岸辺に固定され、前記浮体と前記捕獲体を岸につなぎとめる係留ロープを有する請求項１記載の捕獲装置。
【請求項３】
前記捕獲体は、前記浮体と接触する横棒を有し、前記第一の支持棒は前記横棒の一端に取り付けられ、前記第二の支持棒が前記横棒の他端に取り付けられ、前記捕獲体の上部は前記横棒に取り付けられた請求項１又は請求項２のいずれか１項記載の捕獲装置。
【請求項４】
前記網部の下部には重りが取り付けられた請求項１乃至請求項３のいずれか１項記載の捕獲装置。
【請求項５】
前記網部が十字状に配置された請求項１乃至請求項４のいずれか１項記載の捕獲装置。
【請求項６】
前記網部は、第一、第二の外網と、前記第一、第二の外網で挟まれた内網とを有し、前記内網の網目は、前記第一、第二の外網の網目よりも密にされた請求項１乃至請求項５のいずれか１項記載の捕獲装置。
【請求項７】
水中に日陰を形成する浮体を湖沼河川の水面に浮かせ、
前記浮体に取り付けられた捕獲体を、水中の前記浮体が形成する日陰に配置し、
前記捕獲体に設けられた、水中を下方に伸びる第一、第二の支持棒の間に張られた網部によって、オオクチバス、コクチバス、ブルーギルを捕獲する外来魚捕獲方法。
【請求項８】
前記網部は、前記網部の下端と前記湖沼河川の水底との間に、５０ｃｍ以上の隙間が形成される場所に配置する請求項７記載の外来魚捕獲方法。
【請求項９】
一端が前記浮体に固定された係留ロープの他端を岸辺に固定し、前記浮体と前記網部を岸につなぎとめる請求項７又は請求項８のいずれか１項記載の外来魚捕獲方法。
【請求項１０】
前記浮体に、前記浮体と接触して横棒を設けておき、前記第一の支持棒は前記横棒の一端に取り付け、前記第二の支持棒は前記横棒の他端に取り付け、前記捕獲体の上部を前記横棒に取り付け、前記捕獲体の三辺を保持して前記網部を水中に配置する請求項７乃至請求項９のいずれか１項記載の外来魚捕獲方法。
【請求項１１】
前記網部の下部には重りを取り付け、前記網部の下部を水中に沈降させる請求項７乃至請求項１０のいずれか１項記載の外来魚捕獲方法。
【請求項１２】
複数の前記網部を、十字状に配置して前記浮体に設け、前記十字状に配置された前記網部を水中に配置する請求項７乃至請求項１１のいずれか１項記載の外来魚捕獲方法。
【請求項１３】
前記網部には、第一、第二の外網によって、網目が前記第一、第二の外網の網目よりも小さくされた内網を挟んだ刺し網を用いる請求項７乃至請求項１２のいずれか１項記載の外来魚捕獲方法。
【発明の詳細な説明】
【技術分野】
【０００１】
本発明は、外来魚を捕獲する捕獲装置に関し、特に、刺し網によって捕獲する捕獲装置に関する。
【背景技術】
【０００２】
＜１＞
近年、生物多様性保全の観点から、外来種による在来種への悪影響が懸念されており、国や自治体、NPO団体等がその対策に乗り出している。外来魚に関しては、釣り人等による不法放流の問題もあり、河川湖沼等の陸水域において、特にオオクチバスやコクチバス、ブルーギルが増加し、在来魚への食害等の影響が問題視されている。
これらの駆除方法については、通常の漁具を用いた手法以外に、以下に示すように様々な手法が提案されている。
【０００３】
(１)繁殖抑制技術
(ａ)人工産卵床トラップ：人工産卵床に産卵させ、産卵を確認したら陸に引き上げ駆除する
(ｂ)産卵床を守る雄親魚の捕獲：産卵床を守る雄親魚を確認したら、釣り、小型三枚網等を用い駆除する。残された卵は、他種に捕食されるか泥をかぶり死滅する。
(２)稚魚・幼魚の捕獲
(ａ)人工藻場トラップ：人工藻場の下に網を設置し、魚類が藻場に集まったところで網を引き上げ、捕獲する（人工藻場に集まる全ての魚類を混獲してしまう）。
【０００４】
＜２＞
上記手法は、繁殖期など限られた時期にしか効果を発揮しないという難点があり、また、（２）（ａ）は仕掛けも比較的大がかりで、かつ在来魚の混獲率が高いことも問題である。
捕獲方法を工夫して大多数を捕獲したとしても、取り残しがあった場合、いずれは繁殖し、影響が出てくるため、頻繁な捕獲作業が必要となる。時期が限定される捕獲方法や大がかりな仕掛けを必要とする捕獲方法では、実行頻度を向上させることができないため、実効が低い。
【０００５】
そこで、これらの課題に対処でき、外来魚の活動時期であればいつでも簡単に誰でも使用できると共に、安価で在来魚の混獲率が低い捕獲装置の開発が望まれており、更に、一定量捕獲後の生息密度が低下した状態でも捕獲効率が高く、在来魚を捕獲せずに外来魚の捕獲が可能な技術が求められている。
【先行技術文献】
【非特許文献】
【０００６】
【非特許文献１】伝田郁夫，山本聡，「小型三枚網によるブルーギル捕獲効率」，長野県水産試験場研究報告，第１１号，長野県水産試験場
【発明の概要】
【発明が解決しようとする課題】
【０００７】
本発明は上記のような従来技術の不都合を解決するために創作されたものであり、その目的は、在来魚を混獲せずに外来魚を簡単に捕獲できる捕獲装置を提供することにある。
【課題を解決するための手段】
【０００８】
本願発明の発明者は、湖で係留中のボートや浮き桟橋の下に、オオクチバスやブルーギルが群れていたのを目撃した。このことから、これらの外来魚は、水面近くの物陰に群れると推測され、本願発明を試作し、人目を避けて実験したところ、外来魚の捕獲が可能なことが確認された。
【０００９】
本発明は上記発想により創作されており、湖沼河川の水面に浮き、水中に日陰を形成する浮体と、前記浮体に取り付けられ、前記日陰に位置する捕獲体とを有し、前記捕獲体は、水中を下方に伸びる第一、第二の支持棒と、前記第一、第二の支持棒の間に張られた網部とを有し、前記網部によって魚を捕獲するように構成された捕獲装置である。
また、本発明は、一端が岸辺に固定され、前記浮体と前記捕獲体を岸につなぎとめる係留ロープを有する捕獲装置である。
また、本発明は、前記捕獲体は、前記浮体と接触する横棒を有し、前記第一の支持棒は前記横棒の一端に取り付けられ、前記第二の支持棒が前記横棒の他端に取り付けられ、前記捕獲体の上部は前記横棒に取り付けられた捕獲装置である。
また、本発明は、前記網部の下部には重りが取り付けられた捕獲装置である。
また、本発明は、前記網部が十字状に配置された捕獲装置である。
また、本発明は、前記網部は、第一、第二の外網と、前記第一、第二の外網で挟まれた内網とを有し、前記内網の網目は、前記第一、第二の外網の網目よりも密にされた捕獲装置である。
また、本発明は、水中に日陰を形成する浮体を湖沼河川の水面に浮かせ、前記浮体に取り付けられた捕獲体を、水中の前記浮体が形成する日陰に配置し、前記捕獲体に設けられた、水中を下方に伸びる第一、第二の支持棒の間に張られた網部によって、オオクチバス、コクチバス、ブルーギルを捕獲する外来魚捕獲方法である。
また、本発明は、前記網部は、前記網部の下端と前記湖沼河川の水底との間に、５０ｃｍ以上の隙間が形成される場所に配置する外来魚捕獲方法である。
また、本発明は、一端が前記浮体に固定された係留ロープの他端を岸辺に固定し、前記浮体と前記網部を岸につなぎとめる外来魚捕獲方法である。
また、本発明は、前記浮体に、前記浮体と接触して横棒を設けておき、前記第一の支持棒は前記横棒の一端に取り付け、前記第二の支持棒は前記横棒の他端に取り付け、前記捕獲体の上部を前記横棒に取り付け、前記捕獲体の三辺を保持して前記網部を水中に配置する外来魚捕獲方法である。
また、本発明は、前記網部の下部には重りを取り付け、前記網部の下部を水中に沈降させる外来魚捕獲方法である。
また、本発明は、複数の前記網部を、十字状に配置して前記浮体に設け、前記十字状に配置された前記網部を水中に配置する外来魚捕獲方法である。
また、本発明は、前記網部には、第一、第二の外網によって、網目が前記第一、第二の外網の網目よりも小さくされた内網を挟んだ刺し網を用いる外来魚捕獲方法である。
【００１０】
本発明の捕獲装置は、浮体は、発泡スチロール板等の多孔質の板であり、その下に、複数枚の網から成る網部を吊り下げる構造を採用し、量産に適した構造にすると共に、浮体に対する網部を複数枚所望方向に取り付けられるようにし、捕獲効率を高めると共に、浮体部と網部とを分離することができるようにして独立して簡単に運搬できるようにした。
【００１１】
本発明の網部は刺し網であり、内網が二枚の外網に挟まれて重ねられた平面状の刺し網であり、大きさが異なる個体を捕獲できるように、外網と内網の網目の大きさが異なるようにされている。
各網は、ナイロンテグスで編まれており、各網の網の目の四辺の大きさは等しく、第一、第二の外網では、網の目の一辺はそれぞれ１２０ｍｍであり、内網では、網の目は大きめの一辺１２ｍｍにして、在来希少種の混獲率を低下させるようにされている。
【００１２】
網部は水中に設置した時に縮むことがないようにするため、上部に横棒及び左右両側に支持棒をそれぞれ設け、各棒を「コ」字形状に接続して網枠を構成させ、網部を網枠に取り付けている。
網部の下部を構成する一辺には、魚が網に触れた際の衝撃を緩和するため、剛性の棒を取り付けることはせず、ひも状の重りである沈子ロープを取り付けた。網部の下端は沈子ロープの重量によって、水中で沈降する。
【００１３】
網枠の横棒は浮体に結束バンドで固定したが、支持棒の上端は浮体や横棒に固定せず、ビニールチューブ等の柔軟性を有する部材によって互いに連結し、屈曲可能にして折り畳みできるようにした。
網部は浮体に対して隙間無く取り付け、水面に対して直角になるように浮体から吊り下るようにしたので、本発明の捕獲装置は、物陰に潜む習性のある外来魚の捕獲に効果的である。
【発明の効果】
【００１４】
本発明の構造は簡単であり、設置方法は水面に浮かべるだけで外来魚を捕獲できるので、特殊技能は必要ないという利点がある。また、メンテナンスも容易である。従って、緊急雇用対策での外来魚駆除に非常に有効（経験がない人々でも作業可能）と考えられる。
網部は浮体から脱離させることができるため、コンパクトに収納可能である。
上述したように、浮体は発泡スチロール等の多孔質板、網も小型であるため軽量である。
【００１５】
本発明で捕獲する外来魚としては、オオクチバス、コクチバス、ブルーギルがある。
「オオクチバス(ブラックバス)」は学名“Micropterus salmoides”、「コクチバス」は学名“Micropterus dolomieu”、「ブルーギル」は学名“Lepomis macrochirus”の外来魚を指す。
【００１６】
本発明では、これらの外来魚を捕獲するのに適しており、例えば「コウタイ」(学名“Channa asiatica”)、「タイワンドジョウ」(学名“ Channa maculata”)、「カムルチー」(学名“Channa argus”)等の外来魚の捕獲には、これら外来魚の性質上、適していない。
【図面の簡単な説明】
【００１７】
【図１】(ａ)：浮体を水面に浮かべた状態の本発明の第一例の捕獲装置を上方から見た斜視図  (ｂ)：下方から見た斜視図
【図２】(ａ)：浮体を水面に浮かべた状態の本発明の第二例の捕獲装置を上方から見た斜視図  (ｂ)：下方から見た斜視図  (ｃ)：Ｌ字型網部を説明するための図面
【図３】(ａ)：網部を説明するための図面  (ｂ)：網枠を説明するための図  (ｃ)：網部を説明するための図
【図４】(ａ)、(ｂ)：横棒と支持棒とを連結する接続チューブを説明するための図
【図５】本発明の捕獲装置を湖沼や河川に配置した状態を説明するための図
【発明を実施するための形態】
【００１８】
図１(ａ)、(ｂ)と図２(ａ)、(ｂ)は、本発明の第一、第二例の捕獲装置１、２を示している。図１(ａ)、図２(ａ)は、後述するように、捕獲装置１、２を水面上に浮かべたときの、上方から見た斜視図をそれぞれ示しており、図１(ｂ)、図２(ｂ)は、下方から見た斜視図をそれぞれ示している。
【００１９】
図１(ａ)、(ｂ)、図２(ａ)、(ｂ)を参照し、本発明の捕獲装置１、２は、太陽光に対して遮蔽性を有する板状の浮体１１、６１と、浮体１１、６１の片面に取り付けられ、魚を捕獲する一乃至複数個の捕獲体１２、６２とをそれぞれ有している。
浮体１１、６１は、水に浮く比重である多孔質材料が板状に成形されて構成されている。
【００２０】
図５は、本発明の捕獲装置１、２を湖沼や河川に配置した状態を示しており、捕獲装置１、２を配置する際には、捕獲体１２、６２が配置された面を下方に向け、反対側の面を上方に向け、図５のように浮体１１、６１を水面４０上に置くと、浮体１１、６２の浮力によって捕獲体１２、６２が水中に保持された状態で浮体１１、６１が水面４０上に浮く。
【００２１】
ここでは、浮体１１、６１の平面の大きさは、一辺が２０００ｍｍ以下であり、従って、最大は２０００ｍｍ×２０００ｍｍの正方形である。浮体１１、６１の厚みは２０ｍｍ以上３０ｍｍ以下であり、大きさと厚みをこのように制限することによって、軽量化と高強度化が同時に達成され、取り扱いが容易になるようにされている。
【００２２】
多孔質材料としては、後述するように外来魚を集めるために、日光に対する遮光性を有する材料が望ましく、図５に示すように、水面４０上に浮遊させたときに、浮体１１、６１下方の水中に陰ができるようにされている。
多孔質材料としては、ここでは押出発泡スチレンフォームが採用されており、その材料の表面色は白色であるが、水中から見た時に浮体１１、６１の作る陰が外来魚４１がより好むように、浮体１１、６１の捕獲体１２、６２が配置された側の表面は、暗色に着色されている。勿論、浮体１１、６１の側面や上方を向く表面も暗色に着色してもよい。暗色は、黒色、濃灰色等である。
【００２３】
第一の捕獲装置１は捕獲体１２を一個有しており、第二の捕獲装置は、捕獲体６２を四個有している。
一個の捕獲体１２、６２を、図３(ａ)に示す。
捕獲体１２、６２は、網部１８と、一本の横棒３１と、二本の支持棒３２1、３２2とを有している。
二本の支持棒３２1、３２2は、その一端部が、横棒３１の両端にそれぞれ一本ずつ取り付けられ、一本の横棒３１と、その両端の支持棒３２1、３２2とで、図３(ｂ)に示すような網枠３０が構成されている。
【００２４】
各捕獲体１２、６２の横棒３１は、支持棒３２1、３２2が浮体１１、６１の表面に対して垂直になれるように、浮体１１、６１の黒色に着色された面に結束バンドを用いて固定されている。
【００２５】
なお、横棒３１と、支持棒３２1、３２2は、檜等の木材や樹脂パイプを用いることができる。長さは、横棒３１は浮体１１、６１の縁よりもはみ出ないようにし、支持棒３２1、３２2は、水中長さが１０００ｍｍ程度であるようにする。ここでは、横棒３１と、支持棒３２1、３２2は断面四辺形であり、９ｍｍ×９ｍｍの太さである。
【００２６】
横棒３１と支持棒３２1、３２2は、図４(ａ)に示すように、ビニール等の柔軟性を有する樹脂から成る接続チューブ（ここではビニールチューブ）３７に端部が挿入されて互いに取り付けることができる。
【００２７】
接続チューブ３７は、屈曲可能であり、変形することで、横棒３１と支持棒３２1、３２2とが成す角度を変化させることができる。横棒３１と支持棒３２1、３２2とを平行にした場合、捕獲体１２、６２は畳まれ、捕獲装置１、２は小さくなり、運搬が容易になる。ビニールチューブの内径は、ここでは８ｍｍ、厚みは２ｍｍである。
【００２８】
後述するように、一本の支持棒３２1に二本の横棒３１、３１の一端を接続し、他端に他の支持棒３２2、３２2をそれぞれ接続して二個の捕獲体６２、６２を形成することもでき、その場合は、同図(ｂ)に示すように、三つ又に分岐した接続チューブ３８の三個の端部に、二本の横棒３１、３１の端部と一本の支持棒３２1を端部をそれぞれ挿入して、角度が変更可能に接続することができる。
【００２９】
網部１８は四辺形であり、一辺を横棒３１に取り付けられ、他の三辺のうち、相対する二辺が、それぞれ別の支持棒３２1、３２2に取り付けられいる。
一本の横棒３１と、その両端に位置する二本の支持棒３２1、３２2とにより、網部１８を保持し、「コ」字形状になれる網枠が構成されている。網部１８が「コ」字形状に開いたときには、網部１８が平面状に開いて四辺形が形成される。
【００３０】
網部１８は、図３(ｃ)に示すように、内網３５と、第一、第二の外網３６ａ、３６ｂを有している。内網３５は、第一、第二の外網３６ａ、３６ｂの間に挟まれた状態で、各網３５、３６ａ、３６ｂはそれぞれ四角形状であり、各網３５、３６ａ、３６ｂの三辺が一本の横棒３１と二本の支持棒３２1、３２2とにそれぞれ隙間なく括りつけられている。
【００３１】
網部１８は、ひも状の重り３３を有しており、ひも状の重り３３は、各網３５、３６ａ、３６ｂの他の一辺に複数箇所で取り付けられている。ひも状の重り３３の長さは横棒３１の長さと同程度である。
【００３２】
捕獲体１２、６２が水中に位置するときは、支持棒３２1、３２2は、支持棒３２1、３２2自身の重量と重り３３の重量とによって水中で鉛直になり、網部１８は重り３３によって下方に引っ張られ、網部１８は水中で、できるだけ平面に近くなるように張られる。
【００３３】
網部１８の水中で鉛直に相対する二辺となる部分は二本の支持棒３２1、３２2に複数箇所で取り付けられており、水中で上端となる辺は、横棒３１に複数箇所で取り付けられており、網部１８と網枠の間には隙間が形成されないようになっている。
【００３４】
外来魚を捕獲するときは、横棒３１と支持棒３２1、３２2とを「コ」字型に開いた状態で、流れが強くない水中に捕獲体１２、６２を配置し、支持棒３２1、３２2が自重と重り３３によって水中で鉛直に静止するようにし、網部１８を鉛直に張る。
【００３５】
図５の符号４０は、河川又は湖沼の水面であり、捕獲装置１、２の浮体１１、６１を水面４０上に浮かべて、外来魚が生息している領域に配置した状態である。
オオクチバス、コクチバス、ブルーギル等の外来魚は、餌を待ち伏せして捕獲するため、水中の物陰に身を寄せて潜む習性があり、それは水面でも水底でも同様である。
【００３６】
浮体１１、６１は遮光性を有しており、浮体１１、６１の下方の水中であって、浮体１１、６１の付近には日陰が形成されており、従って、外来魚４１は、浮体１１、６１によって形成される日陰の水面４０付近を好み、浮体１１、６１の下方の水面４０付近に集まって来る。
【００３７】
外来魚４１が浮体１１、６１の真下位置に集まり、餌を発見した場合、外来魚４１の遊泳速度が急加速され、網部１８方向に移動した外来魚４１の頭部は、網部１８の、第一又は第二の外網３６ａ、３６ｂの網目を通って内網３５の網目に突入される。
【００３８】
横棒３１と浮体１１、６１の間は密着しており、横棒３１と浮体１１、６１の間には外来魚４１が通過できるような大きさの隙間は形成されていない。網部１８の上端の辺と側辺となる二辺は横棒３１と支持棒３２1、３２2にそれぞれ複数箇所でとりつけられているから、網部１８と横棒３１の間や網部１８と支持棒３２1、３２2の間にも外来魚４１が通過できる隙間はない。
【００３９】
第一、第二の外網３６ａ、３６ｂの網目よりも、内網３５の網目が小さく形成され、従って、第一、第二の外網３６ａ、３６ｂの網目よりも、内網３５の網目の方が密に配置されている。
外来魚４１の頭部が内網３５の網目に挿入されると、外来魚４１の鰓や鰭が絡まって抜去できなくなり、捕獲される。
【００４０】
他方、大型在来魚は、主として水底近くを遊泳するものが多く、捕獲体１２、６２の最下部と水底との間に、５０ｃｍ以上の隙間を空けておけば水底を遊泳する在来魚の混獲率は低下する。
５０ｃｍ未満の隙間を開けた場合でも外来魚の捕獲は可能であるが、５０ｃｍ以上にすれば、在来魚の混獲率は低下する。
【００４１】
また、捕獲体１２、６２の第一、第二の外網３６ａ、３６ｂの網目と内網３５の網目は、本発明の捕獲装置では捕獲を目的としない大きさの在来魚を捕獲する場合の漁獲網の網目よりも大きく形成されており、従って、在来魚の稚魚や小型在来魚は捕獲されにくい大きめの目合いであり、水産資源が維持される。
【００４２】
特に、希少淡水魚の多くは小型種であるが、これらが捕獲されにくい大きめの目合いを採用しているが、三枚網を使用しているため、外来魚については、上記網目の大きさ(外網の網目一辺最大１２０ｍｍ、内網の網目一辺最大１２ｍｍ)であれば、体長１０ｃｍ程度から５０ｃｍ以上までの個体を捕獲することができる。
【００４３】
本発明の第一例の捕獲装置１では、浮体１１の片面に、一個の捕獲体１２が設けられており、捕獲体１２の網部１８と平行な方向に遊泳する外来魚４１については捕獲確率が高くならない。
【００４４】
第二例の捕獲装置２は、捕獲体６２を複数個有し、それらの捕獲体６２のうち、網部１８が互いに交差する方向に沿って配置された二個の捕獲体６２、６２を有している。
網部１８が交差する二個の捕獲体６２、６２のうち、外来魚４１が一方の網部１８と平行な方向に遊泳したときには、その外来魚４１を、遊泳と平行な網部１８に対して交差する網部１８に衝突させて捕獲することができる。このような配置の場合は、交差する網部１８の間には、外来魚４１が通過できる隙間を設けないようにするとよい。
【００４５】
交差する網部１８を有する二個の捕獲体６２、６２は、合計二本の横棒３１、３１と、合計四本の支持棒３２1、３２1、３２2、３２2を有し、鉛直な二個の捕獲体６２、６２の網部１８が直角になるように配置してもよいし、図２(ｃ)に示す第二例の捕獲装置２の二個の捕獲体６２、６２のように、一本の支持棒３２1の上端に二本の横棒３１、３１の一端を接続し、他端に他の支持棒３２2、３２2を一本ずつ接続し、網部１８がＬ字型に配置された二個の捕獲体６２から成るＬ字型捕獲体１５が構成されるようにしてもよい。
【００４６】
第二例の捕獲装置２は、Ｌ字型捕獲体１５を二個有しており、二個のＬ字型捕獲体１５の二個の中央の支持棒３２1、３２1が近接して配置され、合計四個の捕獲体６２、６２、６２、６２が、水中では十字状になるように配置されている。従って、第二例の捕獲装置２は、浮体６１の日陰に泳ぐ外来魚４１を捕獲しやすい。
【００４７】
本発明は日陰を形成し、日陰に集まる外来魚４１を捕獲体１２、６２によって捕獲するのであり、日中に有効に外来魚を捕獲でき、捕獲確率は高いから、日中に浮体１１、６１を湖沼河川の水面上に浮かべて捕獲装置１、２を配置し、日没前に回収し、その後、捕獲した外来魚４１を網部１８から取り外しておけば、捕獲装置１、２を有効に使用することができる。
簡単に説明すれば、一乃至複数個の捕獲装置１、２を湖沼河川に朝設置して、夕方回収することを繰り返せば、多数の外来魚４１を捕獲することができる。
【００４８】
浮体１１、６１には、係留ロープ１３、６３の一端が固定されており、他端を岸辺４２に成長した植物４３の枝や茎に結びつけ、係留ロープ１３、６３によって捕獲装置１、２を岸辺４２に係留すると、捕獲装置１、２が水の流れや風によって移動しないようになる。河川では、本発明の捕獲装置１、２は、流れが強くなく、水深１ｍ程度以上の場所が設置に都合がよい。
【００４９】
なお、接続チューブ３７、３８と横棒３１の間、又は、接続チューブ３７、３８と支持棒３２1又は３２2の間のいずれか一方又は両方が着脱可能にされており、横棒３１と支持棒３２1、３２2とを分離すると、小さく畳めるようになっている。
【００５０】
網部１８は、支持棒３２1、３２2と横棒３１とから取り外し可能にされており、網部１８と支持棒３２1、３２2とを支持棒３２1、３２2及び横棒３１とから取り外すと、収納スペースが小さくなる。横棒３１を浮体１１、６１から取り外せるように構成しても良い。
【符号の説明】
【００５１】
１、２……捕獲装置
１１、６１……浮体
１２、６２……捕獲体
１８……網部
３３……重り
３５……内網
３６ａ、３６ｂ……外網
４０……水面
【図１】
2011206007.tif 000003
【図２】
2011206007.tif 000004
【図３】
2011206007.tif 000005
【図４】
2011206007.tif 000006
【図５】
2011206007.tif 000007